(57)【要約】【課題】穂先が繊細で且つ極めて折れにくく、しかも持ち重り感も少ないものとしうる釣竿を提供する。【解決手段】複数の竿体が連結されてなる釣竿において、前記竿体の内、最も穂先側の穂先竿が、超弾性合金線材からなる芯材が合成樹脂層で被覆されてなる合成樹脂製のソリッド竿から構成されてなることを特徴とする。【選択図】　図２
2004135626.tif 000002
【特許請求の範囲】
【請求項１】
複数の竿体が連結されてなる釣竿において、前記竿体の内、最も穂先側の穂先竿（１）が、超弾性合金線材からなる芯材（５）が合成樹脂層（６）で被覆されてなる合成樹脂製のソリッド竿から構成されてなることを特徴とする釣竿。
【請求項２】
前記穂先竿（１）には、前記芯材（５）が穂先側に延在し前記合成樹脂層（６）から露出した露出部（１ａ）が備えられてなり、前記露出部（１ａ）の芯材（５）にトップガイド（４）が外嵌装着されてなる請求項１記載の釣竿。
【請求項３】
前記トップガイド（４）には、前記露出部（１ａ）の芯材（５）に外嵌された筒状部（７）が備えられてなり、該筒状部（７）の竿尻側端面（７ａ）と前記合成樹脂層（６）の穂先側端面（６ａ）とが接合してなる請求項２記載の釣竿。
【請求項４】
前記筒状部（７）の竿尻側端部の外周と前記合成樹脂層（６）の穂先側端部の外周とが面一とされてなる請求項３記載の釣竿。
【発明の詳細な説明】
【０００１】
【発明の属する技術分野】
本発明は、釣竿に関し、詳しくは、複数の竿体が連結されてなる釣竿に関する。
【０００２】
【従来の技術】
従来、穂先の調子の繊細さ（柔軟さ）が求められる釣りに於いては、合成樹脂で中実とされた所謂ソリッド竿を穂先竿として備えた釣竿が使用されている。
この種の釣竿は、穂先竿がソリッドである分だけ中空管状のものよりも曲げに対して強くなるため、その分穂先を細くすることができることから、穂先が繊細で且つ比較的折れ難いものとすることができる。
【０００３】
しかしながら、このような従来の釣竿に於いても、穂先の折れ難さには限界がある一方で、更に穂先の折れにくい釣竿が要望されている。
【０００４】
この要望に対して、従来、穂先竿全体をＮｉ−Ｔｉ合金等の超弾性合金で構成してなるものも提案されている（特許文献１参照）。
【０００５】
【特許文献１】
特開平３−２３６７３２号公報（特許請求の範囲、図２）
【０００６】
このような穂先竿を備えた釣竿は、超弾性合金の弾性域が極めて高い材料であるため、穂先を細くすることにより、穂先竿の調子が繊細で且つ極めて穂先の折れにくい釣竿となりうる。
【０００７】
【発明が解決しようとする課題】
しかしながら、このような穂先竿を備えた釣竿は、穂先竿全体を構成する材料が超弾性合金であるため、穂先が重く持ち重り感（穂先が重たく感じられること）があり、特に、長尺なものに於いては、この持ち重り感は顕著なものとなり、竿を振り難かったり、長時間の釣りが負担になったりする等、種々の問題を有している。
【０００８】
そこで、本発明の課題は、上記問題点に鑑みなされたもので、穂先が繊細で且つ極めて折れにくく、しかも持ち重り感も少ないものとしうる釣竿を提供することとする。
【０００９】
【課題を解決するための手段】
上記課題を解決すべく、本発明にかかる釣竿は、複数の竿体が連結されてなる釣竿において、前記竿体の内、最も穂先側の穂先竿が、超弾性合金線材からなる芯材が合成樹脂層で被覆されてなる合成樹脂製のソリッド竿から構成されてなることを特徴とする。
上記構成からなる釣竿は、穂先竿が合成樹脂製のソリッド竿であることから穂先を細くして繊細なものとすることができると共に、芯材に超弾性合金が用いられてなるので、撓りに対して粘り強く対応でき、穂先が非常に折れにくいものとすることができる。
しかも、穂先竿全体を超弾性合金のみで構成した場合に比して、穂先竿を非常に軽量とすることができ、持ち重り感の非常に少ないものとしうる。
【００１０】
本発明に於いて、前記穂先竿には、前記芯材が穂先側に延在し前記合成樹脂層から露出した露出部が備えられてなり、前記露出部の芯材にトップガイドが外嵌装着されてなるものが好ましい。
斯かる構成からなる釣竿に於いては、トップガイドが露出部の芯材に外嵌装着されてなるので、トップガイドに大きな力が加わった場合であっても、露出部以外の部分の合成樹脂層の外側に外嵌された場合の如く、ガイド際（トップガイドと穂先竿とが接合している部分の端部）で合成樹脂層が損傷して、ガイド際が折れるといった事態が防止される。
【００１１】
斯かる構成に於いて、前記トップガイドには、前記露出部に外嵌された筒状部が備えられてなり、該筒状部の竿尻側端面と、前記合成樹脂層の穂先側端面とが接合してなるものが好ましい。
斯かる構成からなる釣竿に於いては、釣糸がトップガイドの筒状部の竿尻側端面と合成樹脂層の穂先側端面との間にはまり込む虞が低減する。
特に、前記筒状部の竿尻側端部の外周と前記合成樹脂層の穂先側端部の外周（即ち合成樹脂層の外周）とが面一とされてなる場合に於いては、トップガイドの筒状部の竿尻側端部に釣糸が引っ掛かる虞も低減する。
【００１２】
【発明の実施の形態】
以下、本発明の実施形態について、図面を参照しつつ説明する。
【００１３】
図１は、本実施形態の釣竿を示す概略側面図である。
本実施形態の釣竿は複数の竿体が連結されて構成されている。
具体的には、最も竿尻側の元竿３と、該元竿３に連結された中竿２と、該中竿２に連結された穂先竿１とが振出式若しくは並次式に連結されて構成されている。
【００１４】
前記元竿３には、リール１１を装着するためのリールシート１０が備えられて構成されている。
尚、図１に於いてはリールシート１０にリール１１が装着された状態が示されている。
【００１５】
本実施形態の釣竿に於いては、元竿３及び中竿２の穂先側端縁部にそれぞれリールから引き出された釣糸Ｌを通す釣糸ガイド２０が装着されて構成されている。
【００１６】
前記元竿３及び中竿２は、合成樹脂製の中空管状体で、これらの竿体３、２は、カーボン繊維やガラス繊維等の強化繊維に、エポキシ樹脂等の熱硬化性樹脂を含浸させたシート状プリプレグをマンドレルに巻回し、加熱した後にマンドレルを引き抜き、更に焼成することにより製造される。
【００１７】
図２は、前記穂先竿１を示す縦断断面図である。
図２に示すように、本実施形態の穂先竿１は、合成樹脂製のソリッド竿（中実の竿）で、繊維強化合成樹脂からなる竿状成形体の中心軸に芯材５として超弾性合金線材が埋入されて構成されている。
即ち、穂先竿１は、超弾性合金線材からなる芯材５を繊維強化合成樹脂からなる合成樹脂層６が被覆したソリッド竿とされている。
【００１８】
前記超弾性合金線材は、通常、断面が円形で、直径が０．１〜１ｍｍの範囲に設定されている。
ここで、超弾性合金とは、応力誘起マルティンサイト変態によって生じた変形が、除荷時に逆変態によって元に戻る性質を備えた合金材料で、該超弾性合金材としては、形状記憶合金等として従来周知のもの、例えば、Ｎｉ−Ｔｉ系合金、Ｎｉ−Ｔｉ−Ｆｅ系合金、Ｎｉ−Ｔｉ−Ｃｕ系合金、又は、Ｎｉ−Ｔｉ−Ｃｒ系合金等の合金材料を挙げることができる。好ましくは、Ｎｉ−Ｔｉ系合金を挙げることができる。
【００１９】
前記穂先竿１には、穂先側に延在し前記合成樹脂層６から芯材５が露出した露出部１ａと、合成樹脂層６が芯材５を被覆した非露出部１ｂとが備えられている。即ち、前記穂先竿１は、穂先側先端部にて露出部１ａが備えられ、該露出部１ａよりも竿尻側にて非露出部１ｂが備えられて構成されている。
前記露出部１ａの芯材５には、釣竿の先端部に装着される釣糸ガイドたるトップガイド４が外嵌装着されてなる。
【００２０】
このトップガイド４は、合成樹脂又は金属等が所定の形状に成形されること等により構成されてなり、芯材５を嵌入しうるように筒状とされた筒状部７と、該筒状部７から径方向外方に延在し、釣糸Ｌを層通させるガイドリング８を備えたガイド部９とを備えて構成されている。
そして、このトップガイド４は、前記筒状部７の内側に芯材５が嵌入されることにより、露出部１ａの芯材５に外嵌装着され、例えば接着剤等で固定されている。
【００２１】
この状態に於いては、前記筒状部７の竿尻側端面７ａは、前記非露出部１ｂの芯材５を覆う合成樹脂層６の穂先側端面６ａと全面において接合した状態となっている。
また、筒状部７の穂先側端部７ｂは閉塞しており、該穂先側端部７ｂの内側閉塞面と芯材５の先端面とが接合した状態となっている。
【００２２】
更に、前記筒状部７の竿尻側端部の外周面７ｃと非露出部１ｂの穂先側端部の合成樹脂層６の外周面６ｃは、面一となっている。即ち、両外周同士が段差無く連続し、筒状部７の外周面７ｃと非露出部１ｂの合成樹脂層６の外周面６ｃが同一面を形成した状態となっている。
【００２３】
この穂先竿１の竿本体は、例えば、図３に示す成形装置を用いたプルトルージョン法（引き抜き成形法）等によって製造される。
図３は、プルトルージョン法を実施するため成形装置の一例を示す概略図である。
この成形装置は、複数の繊維束５６と芯材５とを供給する糸供給部５１と、糸供給部から供給された糸に樹脂を含浸させる樹脂含浸部５２と、樹脂の含浸された糸を円柱状に成形して予備成形体とする成形部５３と、予備成形体を加熱硬化させて成形体とする硬化部５４と、成形体を引き抜く引抜装置５５とを備えて構成されている。
本実施形態の穂先竿１の竿本体は、この成形装置の糸供給部５１に於いて、複数の繊維束５６の中心に配置されるように芯材５を供給し、樹脂含浸部５２にて樹脂を含浸させ、成形部５３及び硬化部５４にて、芯材５の表面に合成樹脂層６を備えた連続成形体とした後、所定の長さに裁断し、所定のテーパー状となるように外側の合成樹脂層６を研削することによって製造される。
尚、前記露出部１ａは、例えば、穂先側先端部の合成樹脂層６を研削除去することにより形成される。
【００２４】
本実施形態の釣竿は、上記の如く構成されたが、本発明の釣竿は、上記構成に限定されず適宜設計変更可能である。
例えば、本実施形態に於いて、合成樹脂層６は、繊維強化合成樹脂から構成されたが、強化繊維の無い合成樹脂から構成されてなる場合であっても本発明の意図する範囲内である。
斯かる穂先竿１は、例えば、所定の形状の型内に強化繊維を含まない硬化前の合成樹脂を流し込み、中心に超弾性合金線材を配置して加熱焼成した後（硬化させた後）、型から抜き出す方法等によって製造される。
【００２５】
【発明の効果】
以上のように、本発明に係る釣竿は、穂先が繊細で且つ極めて折れにくく、しかも持ち重り感も少ないものとしうるという利点を有する。
【図面の簡単な説明】
【図１】本発明にかかる釣竿の一実施形態を示す概略側面図。
【図２】同実施形態の穂先竿の概略縦断断面図。
【図３】プルトルージョン法を実施するための成形装置を示す概略図。
【符号の説明】
１・・・穂先竿、１ａ・・・露出部、４・・・トップガイド、５・・・芯材、６・・・合成樹脂層、７・・・筒状部
【図１】
2004135626.tif 000003
【図２】
2004135626.tif 000004
【図３】
2004135626.tif 000005